(57)【要約】【課題】容器同士を互いに安定に載置しやすい。【解決手段】複数の容器１１に栽培用土を入れ、上下に重ねて植物を栽培する。容器１１は正方形の平面形状を有している。容器１１の側板１２の上端部には切り欠き１２ａが形成されている。下段の容器１１における切り欠き１２ａに上段の容器１１の角部がはまり込むように容器１１同士が重ねて用いられる。【選択図】図１
2012075438.tif 000002
【特許請求の範囲】
【請求項１】
内部に栽培用土が収容される複数の容器を備えており、
前記容器が、平面視において多角形の各辺に沿って延び上端部に切り欠きが設けられた複数の側板を有しており、
一の前記容器の前記切り欠きに他の前記容器の角部が上方からはめ込まれるように前記複数の容器同士が互いに上下に重ねて複数段に載置可能であることを特徴とする植物栽培容器。
【請求項２】
前記複数の容器が前記複数段に載置された状態において、一の前記容器の角部がその１つ上段の前記容器の側面より外側に張り出した部分に、前記一の容器の内部が上方へと開口した開口部が形成されることを特徴とする請求項１に記載の植物栽培容器。
【請求項３】
前記多角形の各角において、隣り合う２枚の前記側板のうちの一方には、前記多角形の各辺の延びる方向に関する一端部に当該方向に突出する突出部が設けられており、他方には、前記突出部がはめ込まれる孔が形成されており、
隣り合う２枚の前記側板ごとに前記突出部が前記孔にはめ込まれていることを特徴とする請求項１又は２に記載の植物栽培容器。
【請求項４】
平面視において互いに重ならないようにほぼ隙間なく前記容器内の底部に敷き詰めることが可能な平面形状に形成されている複数の網板を前記容器ごとに備えていることを特徴とする請求項１〜３のいずれか１項に記載の植物栽培容器。
【請求項５】
請求項２に記載の植物栽培容器に収容された栽培用土に植物を植えて栽培する栽培方法であって、
栽培用土が収容された前記複数の容器が前記複数段に載置された状態において、前記一の容器の前記開口を介して上方へと生育可能となるように前記一の容器に植物を植えることを特徴とする栽培方法。
【発明の詳細な説明】
【技術分野】
【０００１】
本発明は、複数の容器を用いる植物栽培容器及びこれを用いた栽培方法に関する。
【背景技術】
【０００２】
複数の容器を重ねて植物を植える技術として特許文献１がある。特許文献１の明細書では容器の外形は明示されていないが、図面を参照する限り、一般的な植木鉢によくある、円錐台形状が想定されているものと考えられる。
【先行技術文献】
【特許文献】
【０００３】
【特許文献１】特開２０１０−１６６８５４号公報
【発明の概要】
【発明が解決しようとする課題】
【０００４】
複数の容器を重ねる場合に円錐台や円筒形状の容器を用いると、上下に容器を重ねた際、容器同士が周方向のずれに関して不安定になりやすい。
【０００５】
本発明の目的は、容器同士を互いに安定に載置しやすい植物栽培容器を提供することにある。
【課題を解決するための手段】
【０００６】
本発明の植物栽培容器は、内部に栽培用土が収容される複数の容器を備えており、前記容器が、平面視において多角形の各辺に沿って延び上端部に切り欠きが設けられた複数の側板を有しており、一の前記容器の前記切り欠きに他の前記容器の角部が上方からはめ込まれるように前記複数の容器同士が互いに上下に重ねて複数段に載置可能である。
【発明の効果】
【０００７】
本発明の植物栽培容器によると、容器を構成する側板の上端部に切り欠きが設けられており、下段の容器の切り欠きに上段の容器の角部が上方からはめ込まれるように容器が重ねられる。したがって、容器同士がずれにくく、容器全体が安定に載置される。
【図面の簡単な説明】
【０００８】
【図１】本発明に係る一実施形態である第１の実施形態の多段栽培容器の使用状態における斜視図である。
【図２】多段栽培容器を構成する各容器及び容器内に配置される網板を示す斜視図である。
【図３】図２の容器の平面図である。
【図４】容器の変形例の平面図である。
【図５】図５（ａ）は、第２の実施形態に係る容器の斜視図である。図５（ｂ）は、当該容器の側板の正面図である。図５（ｃ）は、第２の実施形態の網板に係る変形例を示す断面図であり、図５（ａ）のＣ−Ｃ線断面図に対応する。図５（ｄ）は、さらに別の変形例に係る網板の側面図である。
【発明を実施するための形態】
【０００９】
（第１の実施形態）
本発明の一実施形態に係る第１の実施形態の多段栽培容器１について説明する。多段栽培容器１は、図１に示すように、同じ形状及び同じ大きさの容器１１を複数有している。容器１１は互いに鉛直方向に重ねて載置可能に構成されている。各容器１１は、図２及び図３に示すように、平面視において正方形の各辺に沿って延びるように配置された側板１２を有している。容器１１は上方及び下方のそれぞれに開放されており、全体として筒状に構成されている。各側板１２の下端部の内側には棚部１３が設けられている。棚部１３は、側板１２の内側面から容器１１の内部に向かって突出しており、容器１１の下端部の開口を取り囲んでいる。
【００１０】
各側板１２の上端部には側方から見て長方形の切り欠き１２ａが形成されている。切り欠き１２ａは、図３に示すように、平面視において、上段の容器１１を下段の容器１１の位置から４５度回転させた位置で下段の容器１１へと載置することにより、上段の容器１１の各角部を下段の容器１１の各切り欠き１２ａにはめ込むことができるように形成されている。また、切り欠き１２ａの内側面１２ｂは、上段に容器１１が重ねられた際、その側面に沿うように斜めに形成されている。下段の容器１１の切り欠き１２ａに上段の容器１１の角部をはめ込むように容器１１同士を重ねると、下段の容器１１の角部が上段の容器１１の側板１２より外側に張り出す。この張り出した部分には、下段の容器１１の内部が上方に向かって開口した開口部が形成される。
【００１１】
側板１２の外側面には、切り欠き１２ａの下端縁に沿って延びる取っ手１４が固定されている。側板１２同士の内側面の継ぎ目には、三角柱の形状を有する補強材１５が固定されている。容器１１に栽培用土を収容する際は、平面視において容器１１の内側面より僅かに小さい網板２０を棚部１３上に載置する。網板２０は、中央に円形の貫通孔が形成されており、この貫通孔が形成された領域全体を覆うように網２１が固定されている。
【００１２】
以下、多段栽培容器１を使用して植物を栽培する方法について説明する。図１に示すように、台座３１上に受け木３２を置き、受け木３２の間に水はけ用の受け皿（不図示）を置く。受け木３２上に容器１１を置き、網板２０を用いて容器１１の中に栽培用土を敷き入れる。その容器１１の上に別の容器１１を、上段の各角部が下段の切り欠き１２ａに嵌まるように載置する。そして、上段の容器１１内に栽培用土を敷き入れる。この作業を繰り返すことにより所望の段数で容器１１を重ねることができる。
【００１３】
容器１１に植物の苗等を植え込む場合は、植物を植える段の容器１１に用土を敷き入れる前に、苗をその容器１１内に配置してから用土を敷き入れる。図１の一点鎖線に示すように、あらかじめ容器１１の内部を平面視で田の字型に按分しておき、その分割領域の中央に苗を１本ずつ置くとよい。最上段の容器１１よりも下段の容器１１に植物を植え込む場合は、図１に示すように、その容器１１の角部が外側に張り出した部分を通じて、内部に植え込まれた植物が上方へと頭を出すように配置するとよい。これにより、角部から上方へと植物が生育可能となる。各容器１１の角部側壁にリング３３を固定し、このリング３３に支柱３４を差し込んでもよい。
【００１４】
以上説明した第１の実施形態によると、下段の容器１１の切り欠き１２ａに上段の容器１１の角部が嵌まり込むように容器１１同士が重なる。これにより、図３の矢印方向に容器１１がずれにくく、多段栽培容器１全体が安定に設置される。また、最上段の容器１１に水を遣った場合には、不要な水は各容器１１内に配置された網板２０の網２１を通じて下方の容器１１へと向かうため、各容器１１に水が到達できると共に、水はけがよい。また、植物の根が伸びた場合には、網２１を通じて下段の容器１１へと根が続けて伸びるので、植物を十分に生長させることができる。また、上段の容器１１に使用する肥料、用土の種類と下段の容器１１に使用する肥料、用土の種類を変えることができるため、植物の根の生長段階に応じて必要な肥料や用土をその段階に対応する容器１１にあらかじめ準備しておくことができる。なお、全ての段の容器１１をあらかじめ重ねておく必要はなく、根の生長に応じて必要があれば、その生長段階に応じた肥料や用土を入れた下段の容器１１を追加していってもよい。また、段や分割領域ごとに異なる植物を植えてもよく、この場合には、植える植物に応じた用土や肥料を容器１１に段ごとに収容してもよい。
【００１５】
以下、本発明の第２の実施形態について図５を参照しつつ説明する。本実施形態では、第１の実施形態の容器１１の代わりに、図５（ａ）に示す容器２１１を用いる。容器２１１は、平面視において正方形の各辺に沿って延びるように配置された側版２１２を有している。容器２１１は上方及び下方のそれぞれに開放されており、全体として筒状に構成されている。各側板２１２の下端部の内側には棚部２１３が設けられている。棚部２１３は、側板２１２の内側面から容器２１１の内部に向かって突出しており、容器２１１の下端部の開口を取り囲んでいる。
【００１６】
各側板２１２の上端部には側方から見て長方形の切り欠き２１２ａが形成されている。切り欠き２１２ａは、第１の実施形態の切り欠き１２ａと同様に構成されており、複数の容器２１２の角部をこの切り欠き２１２ａにはめ込んで上下に重ねることができる。各側板２１２は、平面視において正方形の各辺に沿って長尺である。この長尺方向に関して側板２１２の一端には、長尺方向に外側に向かって突出する突出部２１２ｂが形成されている。また、側板２１２の他端には、他の側板２１２の突出部２１２ｂをはめ込むことが可能な大きさ及び形状に形成された孔２１２ｃが形成されている。４枚の側板２１２は、平面視において正方形の各辺に配置すると共に、正方形の各角において、隣り合う２枚の側板２１２同士の一方の突出部２１２ｂを他方の孔２１２ｃにはめ込むことにより、容器２１２全体を構成するように組み合わされている。
【００１７】
また、本実施形態の網板２２０は、板部２２１及び２２２の２枚から構成されている。板部２２１及び２２２は、それぞれ、平面視において、容器２１１の底部を２分してできる長方形とほぼ同じ大きさ及び形状を有している。したがって、板部２２１及び２２２は、互いに重ならないように容器２１１内の底部に配置すると容器２１１内の底部にほぼ隙間なくちょうどはまり込む。板部２２１及び２２２は、容器２１１の平面視において軸Ａに関して対称な構成を有しており、重複を避けるため、以下では、板部２２２のみについて説明し、板部２２１についての説明を省略する。
【００１８】
板部２２２は、平面視において、正方形を４等分した直角三角形の概略形状を有するフレーム２２２ａ及び２２２ｂと、正方形を４等分した直角三角形の概略形状を有する２枚の網部２２３と、直線状のフレーム２２２ｃ及び２２２ｄとを有している。フレーム２２２ａ〜２２２ｄは、板部２２２の外形に相当する長方形を形成するように配置されている。フレーム２２２ｃは、この長方形の一方の長辺に沿って配置されている。フレーム２２２ｄは、この長方形を正方形に２分する線分に沿って配置されている。フレーム２２２ａ及び２２２ｂは、この長方形の隣り合う２つの角の位置に直角が位置するように、フレーム２２２ｄに関して互いに対称に配置されている。フレーム２２２ａ〜２２２ｄの間にはちょうど網部２２３がはまり込む大きさの孔が形成され、網部２２３は、この孔にはめ込まれてフレーム２２２ａ〜２２２ｄに固定されている。
【００１９】
以上説明した第２の実施形態によると、突出部２１２ａを孔２１２ｃにはめ込むことで４枚の側板２１２を組み合わせて、容器２１１を容易に構成することができる。また、側板２１２は、組み合わせる前の状態では、厚み方向に互いに重ねることで、全体としてかさばらない状態にしておける。さらに、網板２２０も、全体を半分に分離し、板部２２１及び２２２の２枚に分けているため、これらの２枚をさらに厚み方向に重ねると、４枚の側板２１２と合わせても、全体としてかさばらない。したがって、４枚の側板２１２と板部２２２及び２２１とからなる容器２１１の組み立て部品セットとして取り扱う場合も、全体としてかさばることなく、取り扱いやすい。なお、本実施形態では各側板２１２の一端に突出部２１２ｂが、他端に孔２１２ｃが設けられている。しかし、４枚のうち２枚には両端に突出部が設けられ、残りの２枚には両端に孔が設けられ、４枚の側板２１２を組み合わせることで容器２１１を構成できるようになっていてもよい。
【００２０】
第２の実施形態の網板２２０に関する２つの変形例について説明する。第１の変形例に係る板部３２２は、図５（ｃ）に示すとおり、フレーム２２２ａに対応するフレーム３２２ａが、断面視において、網部２２３に対応する網部３２３に向かって厚みが小さくなるように構成されている。これによって、フレーム３２２の上面が、網部２２３に向かって傾斜している。これにより、上方からの水がフレーム３２２ａの上面に沿って、網部３２３へと流れ落ちやすくなっている。第２の変形例に係る網板４２１は、板部２２１が板部２２２に対してＤ方向に回転可能に板部２２１及び２２２同士を蝶番４２１ａで連結したものである。これにより、網部４２１を折りたたみ可能に構成できるため、より取り扱いやすい。
【００２１】
＜その他の変形例＞
以上は、本発明の好適な実施形態についての説明であるが、本発明は上述の実施形態に限られるものではなく、課題を解決するための手段に記載された範囲の限りにおいて様々な変更が可能なものである。
【００２２】
例えば、上述の実施形態では、容器１１が正方形の平面形状となっているが、長方形の平面形状となっていてもよい。この場合には、上段の容器をずらして重ねる際、上段の容器の角部が下段の容器の切り欠きに嵌まるように切り欠きが設けられていればよい。また、容器の平面形状は、三角形や五角形、六角形など、四角形以外の多角形であってもよい。例えば図４の容器１１１は五角形の場合に相当する。この場合も同様に、上段の容器１１１の角部がちょうど嵌まるように容器１１１に切り欠き１１２ａが設けられていればよい。また、上述の実施形形態では、平面視において容器１１同士が４５°にずれて載置されるような位置に切り欠き１２ａが形成されているが、３０°、４０°など、４５°とは異なる角度で載置されるような位置に切り欠き１２ａが形成されていてもよい。また、上述の実施形態では、容器１１が四角柱状に形成されているが、一般の植木鉢のように、上方に広がった形状に形成されていてもよい。
【符号の説明】
【００２３】
１        多段栽培容器
１１      容器
１２      側板
【図１】
2012075438.tif 000003
【図２】
2012075438.tif 000004
【図３】
2012075438.tif 000005
【図４】
2012075438.tif 000006
【図５】
2012075438.tif 000007
【手続補正書】
【提出日】平成24年2月9日(2012.2.9)
【手続補正１】
【補正対象書類名】特許請求の範囲
【補正対象項目名】全文
【補正方法】変更
【補正の内容】
【特許請求の範囲】
【請求項１】
内部に栽培用土が収容される複数の容器を備え、前記複数の容器が互いに上下に重ねて複数段に載置される植物栽培容器であって、
前記容器が、平面視において多角形の各辺に沿って延び上端部に切り欠きが設けられた複数の側板を有しており、
前記切り欠きが、前記側板をその厚み方向に貫通しており、
前記複数の容器が前記複数段に載置された状態において、一の前記容器の前記切り欠きに他の前記容器の角部が、前記切り欠きを前記厚み方向に貫通するように、前記切り欠きに上方からはめ込まれ、
前記複数の容器が前記複数段に載置された状態において、一の前記容器の角部がその１つ上段の前記容器の側面より外側に張り出した部分に、前記一の容器の内部が上方へと開口した開口部が形成され、
前記多角形の各角において、隣り合う２枚の前記側板のうちの一方には、前記多角形の各辺の延びる方向に関する一端部に当該方向に突出する突出部が設けられており、他方には、前記突出部がはめ込まれる孔が形成されており、
隣り合う２枚の前記側板ごとに前記突出部が前記孔にはめ込まれていることを特徴とする植物栽培容器。
【請求項２】
平面視において互いに重ならないようにほぼ隙間なく前記容器内の底部に敷き詰めることが可能な平面形状に形成されている複数の網板を前記容器ごとに備えていることを特徴とする請求項１に記載の植物栽培容器。
【請求項３】
前記切り欠きの内表面が、当該切り欠きに前記容器の角部がはめ込まれた状態において当該角部の外表面に沿うように、前記側板の厚み方向に対して斜め方向に沿っていることを特徴とする請求項１又は２に記載の植物栽培容器。
【請求項４】
請求項１〜３のいずれか１項に記載の植物栽培容器に収容された栽培用土に植物を植えて栽培する栽培方法であって、
栽培用土が収容された前記複数の容器が前記複数段に載置された状態において、上段側の前記容器に植えた植物の根を下段側の前記容器内に収容した栽培用土まで到達するように生長させることを特徴とする栽培方法。
【請求項５】
栽培用土が収容された前記複数の容器が前記複数段に載置された状態において、前記一の容器の前記開口部を介して上方へと生育可能となるように前記一の容器に植物を植えることを特徴とする請求項４に記載の栽培方法。